(57)【要約】      （修正有）【課題】クリップに無理な力が加わったとしても、破損を避けることができる金属製のクリップを提供する。【解決手段】筆記具の軸筒やキャップ等の筒状体に、環状の固定部が狭持されることにより取り付けられる金属製のクリップは、板状部と、該板状部と前記固定部との間に屈曲部が連設されたものであって、さらに、前記クリップは前記筒状体に内在する突状体を有し、該突状体は前記筒状体の内面と当接することで、前記クリップの開動作を規制することを特徴とする金属製のクリップ、である。【選択図】図１
0003149465.tif 000002
【実用新案登録請求の範囲】
【請求項１】
筆記具の軸筒やキャップ等の筒状体に、環状の固定部が狭持されることにより取り付けられる金属製のクリップにおいて、
前記金属製のクリップは、板状部と、該板状部と前記固定部との間に屈曲部が連設されたものであって、
さらに、前記金属製のクリップは前記筒状体に内在する突状体を有し、該突状体は前記筒状体の内面と当接することで、前記金属製のクリップの開動作を規制することを特徴とする金属製のクリップ。
【請求項２】
前記金属製のクリップは、前記板状部に固定されるとともに、狭持玉部を有するクリップ本体部を有することを特徴とする請求項１記載の金属製のクリップ。
【考案の詳細な説明】
【技術分野】
【０００１】
本考案は、筆記具等に設けられる金属製のクリップに関する。詳細には、クリップの開動作を規制する金属製のクリップの構造に関する。
【背景技術】
【０００２】
従来から、筆記具の軸筒やキャップ等の筒状体に取り付ける金属製のクリップにおいては、環状の固定部を筒状体に挟着する形式のものが提案されている（特許文献１及び２）。このような形式のクリップにおいては、クリップを開く方向に無理な力が加わると、その規制がされていないため、塑性変形域まで開いてしまい、破損に至る。特許文献１で提案されている形式のクリップは、クリップの開動作により板状部のクリップ本体が撓むとともに、板状部と固定部との間に連接する屈曲部も弾性変形する。そして、無理にクリップを開方向に開こうとすると、板状部、屈曲部ともに、弾性変形域を超えて、塑性変形される。
【０００３】
また、特許文献２で提案されているような、クリップ本体となる玉部を有する操作部を、カシメ加工により板状の弾性部に固着させている金属製のクリップにおいては、クリップ開動作の際には板状の取付片部は殆ど変形せず、支持片部から屈曲部に亙る部位の弾性変形の変形量が大きくなる。換言すると、クリップ開動作の際には支持片部から屈曲部に亙る部位の負担が大きくなる。そして、無理にクリップを開方向に開こうとすると、支持片部から屈曲部に亙って弾性変形域を超えて、塑性変形される。
【先行技術文献】
【特許文献】
【０００４】
【特許文献１】実開昭６０−１３７５８５
【特許文献２】特許第３８４２７７７号
【考案の概要】
【考案が解決しようとする課題】
【０００５】
上記従来の金属性クリップにおいては、開方向に無理な力が加わると、クリップが塑性変形して破損する。特に、板状部に操作部等の部材が固着された金属製のクリップでは、板状部の変形が殆ど無いため、屈曲部に負担が掛かり、破損しやすい。
【課題を解決するための手段】
【０００６】
本考案は、筆記具の軸筒やキャップ等の筒状体に、環状の固定部が狭持されることにより取り付けられる金属製のクリップにおいて、前記金属製のクリップは、板状部と、該板状部と前記固定部との間に屈曲部が連設されたものであって、さらに、前記金属製のクリップは前記筒状体に内在する突状体を有し、該突状体は前記筒状体の内面と当接することで、前記金属製のクリップの開動作を規制することを特徴とする金属製のクリップ、である。
【考案の効果】
【０００７】
本考案によれば、金属製のクリップに設けられた突状体が、クリップが所定量以上開こうとすると、筒状体の内面と当接する構造とされている。よって、クリップの開動作が規制される。ゆえに、クリップに無理な力が加わったとしても、クリップはそれ以上開くことが出来ないため、クリップの変形部位は弾性変形域内の変形に留まり、破損を避けることができる。
【図面の簡単な説明】
【０００８】
【図１】本実施例における筆記具の全体を示す縦断面図である。
【図２】本考案の要部を示す拡大縦断面図である。
【図３】図２のＩＩＩ−ＩＩＩ断面図である。
【図４】図２のＩＶから見た図で、上軸のみ断面で示してある。
【図５】クリップの部品図であり、（ａ）本考案の金属製クリップの正面図、（ｂ）本考案の金属製クリップの後方から見た図、である。
【図６】本考案の動作状態図である。
【考案を実施するための最良の形態】
【０００９】
以下、図面を参照しつつ本考案の実施例について説明する。なお、以下の説明において、前方向は、ペン先側の方向を指す。
【００１０】
図１において、筆記具１は、いわゆる回転式の複合筆記具である。筆記具１の出没機構等は従来技術であるので、以下、筆記具１の構成及び動作を概略にて説明する。上軸２は金属材料により筒状に形成されている。上軸２の後端には鍔部２１が、クリップ取り付け部分を切欠いた略環状に形成される。一方、ボールペンやシャープペンのリフィール（１１１，１１２）が接続されたスライド駒３１，３２はガイド部材４によりガイドされるとともに、コイルバネ５１，５２により後方に弾発されている。そして、カム部材６の先端係止部６１は、スライド駒３１，３２を係止可能に形成されている。
【００１１】
さらに、カム部材６にはカム面６２が設けられている。スライド駒３１，３２は、コイルバネ５１，５２の弾発力と相俟って、カム面６２に沿ってガイド部材４内を軸筒軸方向に前後に移動する。
【００１２】
また、カム部材６の後端は、尾栓７と螺合している。さらにまた、カム部材６後端と尾栓７とにより、上軸２の鍔部２１とクリップ８の固定部８１を狭持している。ゆえに、クリップ８，カム部材６及び上軸２は一体的に固定されている。そして、上軸２の後方に設けられた突状部２２は、カム部材６に設けられた溝部６３と嵌り合い、互いの固着関係を強固にしている。
【００１３】
一方、ガイド部材４は、中間部材１０等を介して下軸９に固定される。ゆえに、上軸２の軸心周り回動操作により、同時にカム部材６も回動し、よってスライド駒３１，３２はガイド部材４内を前後に移動する。すると、リフィール１１１，１１２が筆記具１の先端から、そのペン先が出没される。
【００１４】
図２〜５に、本考案の要旨である筆記具１のクリップ８周辺について図示する。前述の通り、上軸２内に設けられたカム部材６は、後端から尾栓７が螺合される。そして、カム部材６の後端面と、尾栓７との間には、鍔部２１と固定部８１が狭持され固定される。ここで、固定部８１は環状に形成されるが（図５（ｂ）参照）、切欠等を設けた略環状としてもよい。
【００１５】
クリップ８の部品図を図５に示す。クリップ８は、金属製であり、長尺板状の板状部８２と、この板状部８２に連設し、略９０°に曲げられた屈曲部８３とを有する。そして、前述の固定部８１は、屈曲部８３と連設している。換言すれば、板状部８２と固定部８１との間に屈曲部８３が連設されている。そして、横断面頂部部位を半円形状（図３、図５（ｂ）参照）とする箱型形状を呈するクリップ本体部８４が、板状部８２に固定されている。その固定方法は、クリップ本体８４の側面８４ａに、カシメ接合用の突起を設けておき、板状部８２の側面から下面にかけてカシメ接合する等の方法（例えば特許第３８４２７７７号公報に開示される固定方法）により固定される。ここで、クリップ本体部８４の前端下面には、紙等を狭持可能なように狭持玉部８４ｂが設けられている。
【００１６】
さらに、クリップ本体部８４の後端側には、上軸２内に内在するように、側面８４ａから突状体８４ａ１が膨出している。この突状体８４ａ１は、その横断面形状を上軸２の内周面に合わせて（図３参照）、円弧状に形成されている。さらに、突状体８４ａ１に対応するカム部材６の後方部位には、この突状体８４ａ１が収まるように切欠部６４が形成されている。
【００１７】
このように形成される本実施例の金属製クリップの作用を説明する。
図６に示すように、クリップ８（クリップ本体８４）を開く方向に指で持ち上げる等した場合、屈曲部８３が弾性変形する。そして、ある一定量クリップが開かれると、突状体８４ａ１の上面が、対応する上軸２の内面と当接する。よって、これ以上のクリップ８の開動作が規制される。ここで、この突状体８４ａ１と上軸２の内面との当接を、屈曲部８３の弾性変形の領域内に設定しておけば、クリップ８（屈曲部８３）が塑性変形し、破損する虞はない。
【００１８】
なお、本実施例の他、クリップ本体部８４を有しない形式のクリップ（実開昭６０−１３７５８５号公報参照）でも同様に突状体８４ａ１を設けることができる。しかし、本実施例のように、板状部８２が弾性変形しないクリップでは、屈曲部の変形負担が大きいので、本考案がより一層の効果がある。
【００１９】
さらに、本実施例では、上軸２を金属製で形成しているので、より確実に、クリップの開動作を規制することができる。
【００２０】
なお、本実施例では、筆記具１の軸筒の後端にクリップ８を設けたが、その他の筒状体、例えば筆記具のキャップにも同様に設けることができる。さらに、筒状体である上軸２の筒形状は、本実施例に限定されず、例えば内部に種々の形状のリブ等が設けられるものや角筒状であってもよい。
【符号の説明】
【００２１】
１    筆記具
２    軸筒
８    クリップ
８１    固定部
８２    板状部
８３    屈曲部
８４    側面
８４ａ１    突状部
８４ｂ    狭持玉部
【図１】
0003149465.tif 000003
【図２】
0003149465.tif 000004
【図３】
0003149465.tif 000005
【図４】
0003149465.tif 000006
【図５】
0003149465.tif 000007
【図６】
0003149465.tif 000008